(57)【特許請求の範囲】
【請求項１】
マンホールの入口内周に付設した支持枠に乗載して、マンホールの入口を密閉するマンホール蓋の、その周縁に操作口を形成し、
かつその下面に、操作口を下部から覆って、操作口から流入した雨水を内部に滞留して、雨水がマンホール内に流れ込まないようにする袋部を、マンホール蓋の下面に下方突成された周壁と、該周壁の下端開口を覆って、該周壁下端に固定される底板とで構成して設け、
該袋部の両側壁部を貫通する回動軸により、袋部内でレバー片を回動可能に支持するとともに、袋部の外側へ突出する回動軸の端部に、係合端を備えたロック片を回動可能に支持し、さらにバネ又は重り等の付勢手段により、マンホール蓋の被着状態で、レバー片が操作口に下方から臨み、かつロック片の係合端が支持枠の内面に形成した係止面と下方から対向する位置となるように保持したことを特徴とするマンホール蓋の係止装置。
【請求項２】
前記周壁の、径方向と直交する方向で対向する両側壁部に、夫々下方へ開口する軸支溝を形成すると共に、中央部にレバー片を設けた回動軸の両端にロック片を固定し、かつレバー片とロック片の固定部との間に支承部を配設してなる係止体を、その支承部を前記軸支溝に嵌着してレバー片を開口から両側壁部間に配置するようにして取付け、さらに周壁の下端に底板を固定して、前記周壁の下端開口を覆うようにしたことを特徴とする請求項１記載のマンホール蓋の係止装置。
【発明の詳細な説明】
【０００１】
【発明の属する技術分野】
本発明は、マンホール蓋を被着状態に保持して、開放を阻止するための係止装置に関する。
【０００２】
【従来の技術】
マンホール蓋は、マンホールの入口内周に設けた支持枠に外周を載置して付設されるが、水圧等で蓋が持ち上がって、水が路上に溢流したり、蓋ずれを生じて、歩行や、自動車又は自転車の走行を阻害する場合があり、このため、これを防止する係止装置が設けられたマンホール蓋が、種々供されている。
【０００３】
この係止装置として、図１０で示す構成が提案された。この構成は、マンホール蓋５０の操作口５１の側傍下面に、操作口側に突出するレバー部５２と、下方に垂下する係止杆部５３とを備えてなる回動片５５を、回動軸５４により回動可能に支持し、蓋下面との間に付装されたバネ５６により、前記レバー部５２を上方付勢して、操作口５１に下方から臨む位置に突出させるとともに、支持枠６０の内面に形成した係止面６１と下方から対向する係合端６２を備え、かつ前記係止杆部５３が挿入する連係孔６３が形成されてなるロック片６５を、軸６６及び長孔６７により径方向への移動可能に蓋下面に支持してなるものである。
【０００４】
この構成にあって、回動片５５のレバー部５２をバネ５６の作用により操作口５１に臨む位置とし、該レバー部５２を工具ｘを使用して下方に押し込み、かつその先端を食い込み溝６８に掛けて傾動することにより、同図矢線のようにロック片６５を水平方向へ退避させるようにしている。このため、マンホール内で水位が高くなり、水圧が回動片５４に作用してもバネ５６の付勢力によって係止解除を阻止される。
【０００５】
【発明が解決しようとする課題】
ところで、上述の構成にあっては、マンホール蓋５０には操作口５１が開口しており、該操作口５１を介して、雨水が流入する等、マンホール蓋５０でマンホール入口を完全に遮断することができない。このため、排水路にあっては、雨水が該排水路に余分に流れ込んでしまい、所定の排水管理を円滑に行なうことができない。また、逆にマンホール１内の水圧がたかまると、操作口から水が漏出又は噴出するおそれもある。
【０００６】
さらには、かかる構成は、回動片５５を回転させ、回動片５５の係止杆部５３の揺動により、ロック片６５の径方向への直線移動を生じさせるものであり、係止杆部５３の回動角度がロック片６５の径方向への所要移動をもたらし得るように、充分な回動角度を保証しなければならず、回動片５５の回動を許容する作動領域７０を広くとらなければならない。従って、係止装置が大型となるという問題点もあった。
本発明は、かかる問題点を解決することを目的とするものである。
【０００７】
【課題を解決するための手段】
本発明は、マンホールの入口内周に付設した支持枠に乗載して、マンホールの入口を密閉するマンホール蓋の、その周縁に操作口を形成し、かつその下面に、操作口を下部から覆って、操作口から流入した雨水を内部に滞留して、雨水がマンホール内に流れ込まないようにする袋部を形成して、該袋部の両側壁部を貫通する回動軸により、袋部内でレバー片を回動可能に支持するとともに、袋部の外側へ突出する回動軸の端部に、係合端を備えたロック片を回動可能に支持し、さらにバネ又は重り等の付勢手段により、マンホール蓋の被着状態で、レバー片が操作口に下方から臨み、かつロック片の係合端が支持枠の内面に形成した係止面と下方から対向する位置となるように保持したものである。
【０００８】
前記袋部は、マンホール蓋の下面に下方突成された周壁と、該周壁の下端開口を覆って、該周壁下端に固定される底板とで構成するようにしている。かかる構成にあっては、袋部の形成が容易となり、底板を除去した状態で、開口からレバー片を装着すれば良いから、その組み付けが容易となる。
【０００９】
また、このように、袋部を周壁と底板とで構成した場合には、周壁の、径方向と直交する方向で対向する両側壁部に、夫々下方へ開口する軸支溝を形成すると共に、中央部にレバー片を設けた回動軸の両端にロック片を固定し、かつレバー片とロック片の固定部との間に支承部を配設してなる係止体をあらかじめ組み付けておき、その支承部を前記軸支溝に嵌着してレバー片を開口から両側壁部間に配置するようにして取付け、さらに周壁の下端に底板を固定して、前記周壁の下端開口を覆うようにして係止装置を構成することができる。このような構成にあっては、あらかじめ上述の係止体を組み付けた後に、軸支溝を用いて、マンホール蓋に装着し、かつ底板を被着するだけで、容易に連結することができる利点がある。
【００１０】
かかる構成にあって、上述のようにマンホール蓋の被着状態では、レバー片が操作口に下方から臨み、かつロック片の係合端が支持枠の内面に形成した係止面と下方から対向する位置となる。このため該マンホール蓋をそのまま持ち上げようとすると、ロック片の係合端が支持枠の係止面に下方から当接して、開放不能となる。すなわち、この状態で係止位置となる。
【００１１】
そして、この係止作用により、マンホール内の水位が上昇し、水圧がレバー片に作用しても、該レバー片は付勢手段により、そのロック位置を保持されているから、係止解除が生ずることはない。
【００１２】
一方、マンホール蓋を開放する場合には、バール等の工具を操作口から挿入して、レバー片を押圧すると、該レバー片は、回動軸を中心として、付勢手段に抗して回動し、ロック片の係合端が支持枠の係止面から退避して、上下方向で係合不能となる。このため、前記レバー部を押圧しながらマンホール蓋を抉ることにより、該マンホール蓋は開放されることとなる。
【００１３】
かかる構成にあっては、操作口は袋部により、マンホール蓋下面で完全に覆われているため、雨水が操作口から流入しても、袋部内に滞留して、マンホール内に流れ込まず、水圧によりマンホール１内の水が漏出することもない。
【００１４】
【実施例】
本発明の一実施例を添付図面について説明する。
図１，２において、１はマンホール入口内周に環状の支持枠２を設けたマンホールであって、該支持枠２にはマンホール蓋５が、マンホール１の入口を密閉するようにして、乗載されている。支持枠２の内壁面はテーパー状となっており、またマンホール蓋５も、その外周に、支持枠２の内周面に密接し得る同一角度のテーパー状を呈し、かつ支持枠２の内径と略等しい傾斜面が形成され、これにより支持枠２の内周面に密着すると共に、その端部には操作口７が形成されている。また操作口７の側傍のマンホール蓋５下面には後記するバールｘの先端が当接する食い込み溝８（図４，５参照）が形成されている。
【００１５】
本発明に係る係止装置の第一実施例の構成を図２〜５について説明すると、マンホール蓋５の下面には、操作口７を下部から覆う袋部９が形成され、該袋部９の両側壁部１０，１０に形成した貫通孔１１，１１にブッシュ１２を介して、回動軸１５，１５が回動可能に貫通され、袋部９内で、該回動軸１５，１５の両内端によってレバー片１４が支持される。すなわち、レバー片１４の両側に形成した矩形嵌着穴１７，１７に回動軸１５，１５の内端に形成した矩形突部１８，１８を嵌入し、該回動軸１５，１５を側壁部１０，１０に幅方向移動不能とすることにより、該レバー片１４を、回動軸１５，１５間に挟持して、相対回動不能に保持するようにしている。
【００１６】
このレバー片１４と、回動軸１５，１５とは、一体的に回動可能となるものであれば良く、従って、回動軸１５がレバー片１４を相対回動不能に貫通して、その両側を側壁部１０，１０で支持する構成であっても良い。または、回動軸１５と、レバー片１４とを一体的に構成しても良い。
【００１７】
この回動軸１５，１５の外端は両側壁部１０，１０から外方へ突出しており、ロック片２０の両側で上方に突出する軸受部２１，２１を、その突出端に外嵌して、割りピン２２を挿通し、これにより回動軸１５，１５でロック片２０を支持している。
【００１８】
前記ロック片２０は、主体部を金属製の肉厚部材で構成して、これを重錘部２５とすることにより重錘作用を生じ、その重さと、次記するコイルバネ３０の協働作用により、図３の垂下位置を維持するようにしている。また、前記ロック片２０は、重錘部２５の外側面に係合突部２３を突成し、先端上面を係合端２４とし、かかる垂下位置で、係合端２４を支持枠２の内面に形成された係止面３に対向するようにしている。
【００１９】
また回動軸１５，１５には、コイルバネ３０，３０が巻回されて、その一端をマンホール蓋５の下面に当接し、その他端を前記ロック片２０の軸受部２１の基端部背面に掛け、これによりコイルバネ３０，３０に圧縮力を付与して、そのバネ作用により重錘部２５の重錘作用と協働して、回動軸１５，１５を図中時計方向へ付勢し、レバー片１４の端縁部１６をマンホール蓋５の下面に当接させて、該端縁部１６を操作口７に下方から臨ませている。そして、かかる位置で、上述したように、ロック片２０は、支持枠２の内面に形成された係止面３に対向するようにしている。
【００２０】
一方、前記マンホール蓋５には、図２に示すように操作口７の点対称位置で、ロックレバー６０が軸６１により垂持されている。前記ロックレバー６０の下端には外方に突出する係止突起６２が形成され、その自重による垂下状態で、支持枠２に形成した矩形枠６３の開口に挿通し、矩形枠６３の係止面６４に係止突起６２を掛けて、マンホール蓋５のロックレバー６０の直上位置周辺を持上げても、その開放が不能となるようにしている。
【００２１】
次に、前記マンホール蓋５の開放操作を説明する。
まず、図５のように下端がＬ形となっているバールｘを前記操作口７から差し込んでレバー片１４の端縁部１６を、コイルバネ３０の付勢力及びロック片２０の重錘作用に抗して下方へ押し込み、袋部９の底面に当接させる。この操作によりレバー片１４は回動軸１５，１５を中心として回動する。このため、回動軸１５，１５を介して、レバー片１４と結合されているロック片２０も回転し、係合端２４が退避して、係止面３との上下方向の対向が解除される。そしてバールｘを、さらに挿入してその先端を食い込み溝８に掛け、その背を支持枠２に当てて傾動して、マンホール蓋５を抉ると、挺子の作用により、マンホール蓋５の端方が浮上する。
【００２２】
そして、さらに持上げて引張し、ロックレバー４０の係止突起４２を係止面４４から外し、而てマンホール蓋５の係止解除がなされ、適宜の手段によりマンホール蓋５は取り除かれる。
【００２３】
前記マンホール蓋５を支持枠２上に被着する場合は、まずロックレバー４０を矩形枠４３の開口に通して、図２の右方に寄せ、レバー片１４を下方に押し付けながら支持枠２上に降ろし、該マンホール蓋５を支持枠２の内壁に密着状に乗載してから、その押付けを開放すればよい。これにより、コイルバネ３０の付勢力とロック片２０の重さにより、レバー片１４は時計方向に回転し、ロック片２０が復動して、図４のように係止面３の直下位置に係合端２４が配設される係止位置に復帰する。
【００２４】
そして、かかる状態で、マンホール蓋５を持上げようとしても、係合端２４が係止面３に当接し、開放不能となる。すなわち、この被着状態で、自動的に係止位置となる。またこの係止作用により、マンホール１内の水位が上昇し、水圧がレバー片１４に作用しても、該レバー片１４は付勢手段により、そのロック位置を保持されているから、係止解除が生ずることはない。従って、水圧により、蓋が持ち上がることはない。
【００２５】
尚、上述の構成では、付勢手段として、コイルバネ３０による復元弾力及びロック片２０の重錘部２５による重錘作用を生じさせることにより構成したが、バネ又は重りの一方のみを用いるようにしても良い。
【００２６】
上述の構成にあって、ロック片２０を退避位置とするには、バールｘ等でレバー片１４を下方へ押付けて、回動軸１５を中心として回転させれば良い。ここで、回動軸１５，１５を介してレバー片１４，ロック片２０は一体化され、その回転角度は等しい。そして、前記ロック片２０の係合端２４は、レバー片１４の押圧端に比して、回動軸１５，１５から離間した位置にある。従って、レバー片１４に比してロック片２０を大きく揺動することができ、かかる揺動に伴う係合端２４の径方向への移動成分を大きく取ることができる。このことは、レバー片１４を小さく揺動するだけで、係合端２４を後方へ退避することができて、レバー片１４の回動を許容する作動領域を小さくし得ることを意味する。従って、係止装置を小型化することが可能となる。
【００２７】
尚、これに比して、実公平４−４０４５号の構成は、回動片を回転させ、回動片の係止杆部が、挿通されたロック片に径方向への直線移動をもたらすようにするものであるから、充分な回動角度を可能とするようにし、回動片の回動を許容する作動領域を広くとらなければならないため、係止装置が大型となるという問題点があった。
【００２８】
かかる構成にあっては、操作口は袋部９により、マンホール蓋５下面で完全に覆われているため、雨水が操作口から流入しても、袋部９内に滞留して、マンホール内に流れ込まない。従って、排水路等に、雨水が流入して、溢流する等の弊害がなく、マンホール１の入口のマンホール蓋５による密閉を充分に確保し得ることとなる。
【００２９】
次に、本発明の第二実施例を図６〜９に従って説明する。尚、この実施例は第一実施例と、袋部９の構造と、回動軸１５等の組み付け構造が相違するものであって、同一構成については、同一符号を付して説明を省略する。
【００３０】
ここで、袋部９は、マンホール蓋５の下面に下方突成された周壁４０と、該周壁４０の下端開口４４を覆って、該周壁下端に固定される底板４５とで構成されている。この周壁４０は、マンホールの径方向と直交する方向で対向する両側壁部４２，４２と、背壁部４３と、側壁部４２，４２の前部で下端を繋ぐ係合底部４３からなり、両側壁部４２，４２には、夫々下方へ開口する矩形状の軸支溝４１，４１が形成されている。そしてその内部を作動空隙とすると共に、係合底部４３の無い後底部を下端開口４４としている。
【００３１】
一方、底板４５は、前記下端開口４４を覆うものであって、その上面にゴムパッキン４６が被着されると共に、周部に形成した透孔から、固定螺子４７を挿通して、側壁部４２，４２の下端に形成した螺子孔に螺合することにより、下端開口４４を密閉する。
【００３２】
この袋部９には、係止体５０が装着される。
この係止体５０は、回動軸１５，レバー片１４及びロック片２０等を一体的に組み付けてなる。この回動軸１５は、その中央部にレバー片１４を一体的又は、外嵌固定により設けてなり、その両端部には、削成平面５１，５１が形成され、該削成平面５１，５１と直交させて上下方向に透孔５２が形成されている。そして、この回動軸１５の両端からは、合成ゴム等からなる筒状のブッシュ５３，５３が外嵌される。この筒状のブッシュ５３，５３の外周形状は前記軸支溝４１，４１に密嵌し得る断面矩形状となっている。そして、さらに、該回動軸１５の両端には、コイルバネ３０が外嵌される。これにより、両外側には、削成平面５１，５１が形成された回動軸１５の両端部が突出する。
【００３３】
一方、図９で示すようにロック片２０の両側に突出する軸受部２１，２１の突出端には、半円形軸受部５５，５５が形成されている。この軸受部５５，５５の下底には螺子孔５６が形成される。そして、上述のようにブッシュ５３，５３，軸支溝４１，４１を外嵌した回動軸１５の両端部を前記軸受部５５，５５に嵌装し、削成平面５１，５１に開口した透孔５２に固定螺子５７を挿通して、螺子孔５６に螺合する。而して、この固定螺子５７により、各部材が一体化されて、係止体５０が構成されることとなる。
【００３４】
そして、この係止体５０をレバー片１４が袋部９内に位置するようにして、ブッシュ５３，５３を軸支溝４１，４１内に接着剤を軸支溝４１，４１に塗り付けてから密嵌し、さらに底板４５を下端開口４４に被着して、固定螺子４７を軸支溝４１，４１の下端に螺合する。この状態で、コイルバネ３０の一端が回動軸１５の底面に当接し、該レバー片１４，及びロック片２０を図７の係合位置に付勢することとなる。而して、係止体５０がマンホール蓋５に組み付けられることとなる。
【００３５】
この第二実施例にあっては、前記袋部９を、マンホール蓋５の下面に下方突成された周壁４０と、底板４５とで構成しており、周壁４０のみをマンホール蓋５に一体的に鋳造すれば良いから、型構造が簡単となるという利点がある。また、下端開口４４から、レバー片１４，回動軸１５等を装着すれば良く、従って、あらかじめ、上述した係止体５０を構成しておくことにより、容易にマンホール蓋５に係止装置を組み付けることができる。
【００３６】
【発明の効果】
本発明は、上述したように、マンホール蓋５に、操作口７を下部から覆う袋部９を形成して、該袋部９の両側壁部１０，１０（４２，４２）を貫通する回動軸１５により、袋部９内でレバー片１４を回動可能に支持するとともに、袋部９の外側へ突出する回動軸１５の端部に、係合端２４を備えたロック片２０を回動可能に支持し、付勢手段により、マンホール蓋５の被着状態で、レバー片１４が操作口７に下方から臨み、かつロック片２０の係合端２４が支持枠２の内面に形成した係止面３と下方から対向する位置となるように保持するようにしたから、マンホール内の水圧が高くなっても、係合端２４が係止面３に当接して、マンホール蓋５の浮上が防止されると共に、操作口７が袋部９で覆われて、該操作口７から雨水が流入しても、マンホール１内へ流下せず、かつ、マンホール１内の水が漏出することもなく、内部のマンホール蓋５によるマンホール１の入口の遮蔽を密閉性良く確保することができる。また、レバー片１４の回動角度を小さくできて、係止装置が小型化する。
【００３７】
さらには、袋部９を、マンホール蓋５の下面に下方突成された周壁４０と、該周壁４０の下端開口４４を覆って、該周壁４０下端に固定される底板４５とで構成するようにした構成にあっては、袋部９の形成が容易となり、底板４５を除去した状態で、下端開口４４からレバー片等を装着すれば良いから、その組み付けが容易となる。従って、あらかじめ、レバー片１４，ロック片２０等を一体化して係止体５０を構成しておけば、周壁４０内にレバー片１４を配置して、底板４５を周壁４０の下端開口４４に被着するだけで、マンホール蓋５に係止装置を組込むことができ、組み付けが容易となる、等の優れた効果がある。
【図面の簡単な説明】
【図１】マンホール蓋５の一部切欠平面図である。
【図２】第一実施例の被着状態を示すマンホール蓋５の縦断正面図である。
【図３】第一実施例の被着状態を示す要部の拡大側面図である。
【図４】第一実施例の被着状態を示す要部の一部切欠拡大縦断正面図である。
【図５】第一実施例の開放操作を示す要部の拡大縦断正面図である。
【図６】第二実施例の被着状態を示す要部の一部切欠拡大側面図である。
【図７】図６の中央縦断側面図である。
【図８】第二実施例の各部材を分離して示す正面図である。
【図９】回動軸１５とロック片２０との連結手段を示す一部の縦断側面図である。
【図１０】従来構成の縦断側面図である。
【符号の説明】
１  マンホール
２  支持枠
３  係止面
５  マンホール蓋
７  操作口
９  袋部
１０  側壁部
１４  レバー片
１５  回動軸
２０  ロック片
２４  係合端
２５  重錘部
３０  コイルバネ
４０  周壁
４１  軸支溝
４４  下端開口
４５  底板
４７  固定螺子
５３  ブッシュ
５５  軸受部
５７  固定螺子
【図１】
0003770567.tif 000002
【図２】
0003770567.tif 000003
【図３】
0003770567.tif 000004
【図４】
0003770567.tif 000005
【図５】
0003770567.tif 000006
【図６】
0003770567.tif 000007
【図７】
0003770567.tif 000008
【図８】
0003770567.tif 000009
【図９】
0003770567.tif 000010
【図１０】
0003770567.tif 000011